(57)【要約】      （修正有）【課題】除細動器の起動方法をより容易に特定できる、除細動器の起動装置を示すためのガイドシステムを提供する。【解決手段】除細動器１の起動装置５をユーザに示すためのガイドシステム３であって、前記除細動器１の動きを判定して、少なくとも１の除細動器動作モード信号を生成する動き検出回路９と、前記除細動器動作モード信号を受信して、前記除細動器１のユーザに前記起動装置５が示されるようにするガイド回路１１と、を含むシステムである。【選択図】図１
2019111328.tif 000002
【特許請求の範囲】
【請求項１】
除細動器の起動装置をユーザに示すためのガイドシステムであって、
前記除細動器の動きを判定して、少なくとも１の除細動器動作モード信号を生成する動き検出回路と、
前記除細動器動作モード信号を受信して、前記除細動器のユーザに前記起動装置が示されるようにするガイド回路とを含むことを特徴とするシステム。
【請求項２】
請求項１に記載のシステムにおいて、
前記動き検出回路が、加速度計、水銀傾斜スイッチ、磁気運動センサ、静電容量運動センサのうちの何れかを含む動き検出器を有することを特徴とするシステム。
【請求項３】
請求項１または２に記載のシステムにおいて、
前記動き検出回路が、ユーザによる除細動器の動きを判定して、少なくとも１の除細動器動作モード信号を生成することを特徴とするシステム。
【請求項４】
請求項３に記載のシステムにおいて、
前記動き検出回路は、予め設定された期間にわたる前記除細動器のほぼ不動状態の測定に続いて前記除細動器の動きを測定することにより、前記ユーザによる除細動器の動きを判定することを特徴とするシステム。
【請求項５】
請求項３または４に記載のシステムにおいて、
前記動き検出回路が、前記除細動器の少なくとも２方向における同時の動きを測定することによって、前記ユーザによる除細動器の動きを判定することを特徴とするシステム。
【請求項６】
請求項５に記載のシステムにおいて、
前記動き検出回路が、加速度計を使用して、前記除細動器の少なくとも２方向における同時の動きを測定することを特徴とするシステム。
【請求項７】
請求項１乃至６の何れか一項に記載のシステムにおいて、
前記ガイド回路が表示信号を生成して当該表示信号を前記起動装置に送信し、それにより前記除細動器のユーザに前記起動装置が示されるようにすることを特徴とするシステム。
【請求項８】
請求項７に記載のシステムにおいて、
前記ガイド回路が、前記起動装置を点灯させて点灯状態のままとする波形を有する表示信号を生成することを特徴とするシステム。
【請求項９】
請求項７に記載のシステムにおいて、
前記ガイド回路が、前記起動装置を繰り返し点滅させる波形を有する表示信号を生成することを特徴とするシステム。
【請求項１０】
請求項７に記載のシステムにおいて、
前記ガイド回路が、前記起動装置を徐々にかつ反復的に、最小照明から最大照明に増加させ、その後、前記最大照明から前記最小照明に減少させる波形を有する表示信号を生成することを特徴とするシステム。
【請求項１１】
請求項７乃至１０の何れか一項に記載のシステムにおいて、
前記ガイド回路が、予め設定された期間、前記表示信号を前記起動装置に送信することを特徴とするシステム。
【請求項１２】
請求項１１に記載のシステムにおいて、
前記ガイド回路が、前記表示信号を前記起動装置に送信する時間を計るタイマを備え、前記予め設定された期間の終了時に、または前記除細動器の起動までに、送信を停止することができることを特徴とするシステム。
【請求項１３】
請求項１１または１２に記載のシステムにおいて、
前記予め設定された期間が約１０秒であることを特徴とするシステム。
【請求項１４】
請求項７乃至１３の何れか一項に記載のシステムにおいて、
前記ガイド回路が、更なる表示信号を生成し、前記更なる表示信号を前記除細動器の音声ユニットに送信し、前記起動装置を前記除細動器のユーザに示す音声プロンプトを、前記音声ユニットに出力させることを特徴とするシステム。
【請求項１５】
除細動器の起動装置をユーザに示すための方法であって、
動き検出回路を使用して、前記除細動器の動きを判定し、少なくとも１の除細動器動作モード信号を生成するステップと、
ガイド回路を使用して、前記除細動器動作モード信号を受信し、前記起動装置が前記除細動器のユーザに示されるようにするステップとを備えることを特徴とする方法。
【発明の詳細な説明】
【技術分野】
【０００１】
本発明は、除細動器のユーザが除細動器の起動方法をより容易に特定できるようにする、除細動器の起動装置を示すためのガイドシステムに関する。
【背景技術】
【０００２】
研究によれば、突然の心停止の場合、１または複数の除細動ショックおよび／または心肺蘇生の適用による迅速な治療介入が肯定的な結果をもたらすことが示されている。このため、除細動器は、ショッピングモール、学校、劇場などの多くの場所で一般に見付けられる。一般に、除細動器は、作動されると、その操作および適切な治療介入についての指示をユーザに提供する。これは、除細動器が作動された場合にのみ起きる。ユーザは、除細動器を作動させる必要性を認識しないことがあり、また、特に突然の心停止の状況において、除細動器を作動させることに困難を感じることがある。
【発明の概要】
【０００３】
本発明の第１の態様によれば、除細動器の起動装置をユーザに示すためのガイドシステムであって、
除細動器の動きを判定して、少なくとも１の除細動器動作モード信号を生成する動き検出回路と、
除細動器動作モード信号を受信して、除細動器のユーザに起動装置が示されるようにするガイド回路とを含む。
【０００４】
動き検出回路は、加速度計、水銀傾斜スイッチ、磁気運動センサ、静電容量運動センサのうちの何れかを含む動き検出器を有することができる。
【０００５】
動き検出回路は、ユーザによる除細動器の動きを判定して、少なくとも１の除細動器動作モード信号を生成することができる。動き検出回路は、予め設定された期間にわたる除細動器のほぼ不動状態の測定に続いて除細動器の動きを測定することにより、前記ユーザによる除細動器の動きを判定することができる。追加的または代替的には、動き検出回路が、除細動器の少なくとも２方向における同時の動きを測定することによって、前記ユーザによる除細動器の動きを判定するようにしてもよい。動き検出回路は、加速度計を使用して、除細動器の少なくとも２方向における同時の動きを測定することができる。
【０００６】
このため、動き検出回路は、ユーザによる除細動器の動きを、除細動器の移送などの除細動器の他の動きから区別することができる。
【０００７】
ガイド回路は、表示信号を生成して当該表示信号を起動装置に送り、それにより除細動器のユーザに起動装置が示されるようにすることができる。ガイド回路は、起動装置を点灯させて点灯状態のままとする波形を有する表示信号を生成することができる。ガイド回路は、起動装置を繰り返し点滅させる波形を有する表示信号を生成するようにしてもよい。ガイド回路は、起動装置を徐々にかつ反復的に、最小照明から最大照明に増加させ、その後、最大照明から最小照明に減少させる波形を有する表示信号を生成するようにしてもよい。
【０００８】
ガイド回路は、予め設定された期間、表示信号を起動装置に送信することができる。ガイド回路は、表示信号を起動装置に送信する時間を計るタイマを備えることができ、予め設定された期間の終了時に、または除細動器の起動までに、送信を停止することができる。予め設定された期間は約１０秒とすることができる。予め設定された期間は、除細動器の電力消費を制限するように選択されるものであってもよい。
【０００９】
ガイド回路は、更なる表示信号を生成して、更なる表示信号を除細動器の音声ユニットに送信することができ、起動装置を除細動器のユーザに示す音声プロンプト（audio prompt）を、音声ユニットに出力させることができる。
【００１０】
本発明の第２の態様によれば、除細動器の起動装置をユーザに示すための方法が提供され、当該方法が、
動き検出回路を使用して、除細動器の動きを判定し、少なくとも１の除細動器動作モード信号を生成するステップと、
ガイド回路を使用して、除細動器動作モード信号を受信し、起動装置が除細動器のユーザに示されるようにするステップとを備える。
【図面の簡単な説明】
【００１１】
【図１】図１は、除細動器に含まれる本発明の第１の態様に係るガイドシステムの概略図である。
【発明を実施するための形態】
【００１２】
除細動器に含まれる本発明の第１の態様に係るガイドシステムの概略図である添付図面を参照して、本発明の一実施形態をほんの一例として説明する。
【００１３】
図面を参照すると、除細動器１は、除細動器の起動装置をユーザに示すためのガイドシステム３と、ＯＮボタンの形態の起動装置５と、音声ユニット７とを備える。なお、この除細動器は、図示していない電極、除細動ショック回路などの他の構成要素を含むことを理解されたい。
【００１４】
ガイドシステム３は、動き検出回路９およびガイド回路１１を備える。動き検出回路９は、加速度計の形態の動き検出器１３を備える。ガイドシステム３は、起動装置５および音声ユニット７に接続されており、それらに信号を送信する。
【００１５】
一般に、除細動器１は、例えば学校などの指定場所に運ばれて、ハウジング（図示省略）内に設置される。除細動器１は、必要とされるまで、ハウジング内で実質的に動かない状態で保たれる。除細動器１は、必要とされるときに、例えば突然の心停止事象において使用するために、ユーザによってハウジングから取り出される。除細動器１のガイドシステム３は、そのユーザによる除細動器の動きを、除細動器の搬送などの除細動器の他の動きから区別し、除細動器１の起動装置５がユーザに示されるようにする。
【００１６】
動き検出回路９は、予め設定された期間にわたる除細動器１のほぼ不動状態の測定に続いて除細動器１の動きを測定することにより、ユーザによる除細動器１の動きを判定する。さらに、動き検出回路９は、動き検出器である加速度計１３を使用して、除細動器１の少なくとも２方向における同時の動きを測定することによって、ユーザによる除細動器１の動きを判定することができる。動き検出回路９は、除細動器１の動きを判定すると、少なくとも１の除細動器動作モード信号を生成する。
【００１７】
ガイド回路１１は、ユーザによる除細動器１の動きによって生成された除細動器動作モード信号を受信し、方形波を有する表示信号を生成し、それが除細動器１の起動装置５に送られる。その信号は、除細動器の起動装置５を繰り返し点滅させる。ガイド回路１１は、更なる表示信号を生成し、これを除細動器１の音声ユニット７に送る。この信号により、音声ユニットは、除細動器１のユーザに起動装置５を示す音声プロンプトを出力する。こうして、本発明のガイドシステム３は、起動装置の点滅と音声プロンプトにより、ユーザを除細動器１の起動装置５に誘導する。
【図１】
2019111328.tif 000003
【外国語明細書】
2019111328000001.pdf